(57)【要約】      （修正有）【課題】同一形状の仕切板を複数枚用意するだけで、嵌合に用いる切込部の選択により、複数種類の組付形態を実現可能にする。【解決手段】弁当箱Ｍに立設状態にて内装する仕切板１であって、方形板２の上下辺のいずれか一方の３箇所以上に、板厚より幅広であり、且つ、少なくとも板丈中央までの深さの切込部３、3a…を設けることによって、同一形状の仕切板１を複数枚用意するだけで、嵌合に用いる切込部３、3a…の選択により、例えば一部の切込部３、3a…を残して嵌合に使用しなかったり、或いは、全ての切込部３、3a…を余さず用いて、複数種類の組付形態を実現可能にする。【選択図】図１
0003126605.tif 000002
【実用新案登録請求の範囲】
【請求項１】
弁当箱に立設状態にて内装する仕切板であって、方形板の上下辺のいずれか一方の３箇所以上に、板厚より幅広であり、且つ、少なくとも板丈中央までの深さの切込部を設けたことを特徴とする仕切板。
【考案の詳細な説明】
【技術分野】
【０００１】
本考案は、弁当箱に立設状態にて内装する仕切板に関する。
【背景技術】
【０００２】
従来より、弁当箱には仕切板を内装したものがあり、弁当箱内部を複数の区画に仕切って、料理を種類ごとに分別収容できる様にしている。
図１２は、従来の仕切板の一例を示す正投象図であり、図１２中、（ａ）は仕切板Ｊの平面図、（ｂ）は同上正面図、（ｃ）は同上底面図、（ｄ）は同上右側面図であり、仕切板Ｊは方形板Ｋの上辺中央に板厚より僅かに幅広で、且つ、板丈の中央までの深さの切込部Ｌを設けている。
そして、図１３は仕切板Ｊの使用状態を示す平面図であり、図１４は図１３のＧ−Ｇ断面図であり、この様に使用時には、２枚の仕切板Ｊを用い、その内一方を上下逆さにし、切込部Ｌの位置を合わせて、互いに嵌合させ、十文字に組付けた状態にて弁当箱Ｍの内部に収容し、弁当箱Ｍの内部を４区画に仕切る様にしている。
又、図１５（図中（ａ）〜（ｄ）の符号と各図の関係は図１２と同じ）に示す仕切板Ｎでは、切込部Ｌが方形板Ｋの上辺の２箇所に設けられており、図１２の仕切板Ｊと、図１５の仕切板Ｎとを組み合わせることによって、図１６及び１７に示す様に、１枚の仕切板Ｎに２枚の仕切板Ｊを上下逆さ状態にて直交させて組付ければ、弁当箱Ｍの内部を６区画に仕切ることができ、また図１８及び１９に示す様に、４枚の仕切板Ｎを２枚ずつ直交させて組付ければ、９区画に仕切ることができる。
【考案の開示】
【考案が解決しようとする課題】
【０００３】
ところが、上記の様に４区画にするか、６区画か、それとも９区画に仕切る様にするのかを選択可能にするためには、上記の通り、２種類の仕切板Ｊ、Ｎをそれぞれ複数枚保有せねばならず、合理的でなかった。
【課題を解決するための手段】
【０００４】
本考案は、上記の課題に鑑み、弁当箱に立設状態にて内装する仕切板であって、方形板の上下辺のいずれか一方の３箇所以上に、板厚より幅広であり、且つ、少なくとも板丈中央までの深さの切込部を設けることによって、同一形状の仕切板を複数枚用意するだけで、嵌合に用いる切込部の選択により、例えば一部の切込部を残して嵌合に使用しなかったり、或いは、全ての切込部を余さず用いて、複数種類の組付形態を実現可能にする。
【考案の効果】
【０００５】
要するに本考案は、弁当箱に立設状態にて内装する仕切板であって、方形板の上下辺のいずれか一方の３箇所以上に、板厚より幅広であり、且つ、少なくとも板丈中央までの深さの切込部を設けたので、例えば、図１〜４に示す様に、切込部を方形板の上辺の中央、及びその両脇の合計３箇所に設けたものでは、２枚を用いてそれぞれを中央の切込部により互いに嵌合させれば、十文字に組付け、弁当箱内部を４区画に仕切ることができ、また図５〜７に示す様に、３枚を用いて、１枚の仕切板の両脇の切込部に他の２枚の中央の切込部を合わせて嵌合させれば、１枚の仕切板に対し２枚を直交させ、弁当箱内部を６区画に仕切ることができ、更には図８〜１０に示す様に、４枚を用いて、両脇の切込部によりそれぞれを嵌合させれば、４枚を「井」の字形に組付け、弁当箱内部を９区画に仕切ることができ、この様に同一形状の仕切板を複数枚用意するだけで、様々な形態に組付けることができ、合理的である。
【考案を実施するための最良の形態】
【０００６】
以下本考案の一実施形態について図面に基づき説明する。
図１は、本考案に係る仕切板を示す正投象図であり、図中（ａ）は平面図、（ｂ）は正面図、（ｃ）は底面図、（ｄ）は右側面図である。
尚、背面図は正面図と、左側面図は右側面図と夫々同一である。
又、図２は図１の仕切板を２枚使用する場合の使用状態を示す平面図であり、図３は図２のＡ−Ａ断面図、図４は図２のＢ−Ｂ断面図である。
【０００７】
本考案に係る仕切板１は、図１〜４に示す様に、弁当箱Ｍに立設状態にて内装するものであり、方形板２の上辺における中央、及びその両脇に切込部３、3a…を設けている。
使用時には、図２〜４に示す様に、仕切板１を２枚用意し、その内一方を上下逆さにし、それぞれ中央の切込部３の位置を合わせ、各切込部３を相手方の仕切板１の方形板２（切込部３の底より更に奥の部分）に嵌合させている。
そのため、切込部３、3a…は、方形板２の板厚より幅広であり、また仕切板１を上記の様に嵌合させ、十文字に組付けた状態にて弁当箱Ｍの内部に収容し、弁当箱Ｍの内部を４区画に仕切る様にするのであるから、十文字の上側の仕切板１が弁当箱Ｍの内底面から離れてしまわない様にするため、切込部３、3a…の深さは少なくとも板丈中央までに設定されていなければならない。
又、上下逆さにして、切込部３、3a…の位置が合致せねばならないため、正方形、長方形等の方形板２に切込部３、3a…を設けなければならない。
【０００８】
図５は図１の仕切板を３枚使用する場合の使用状態を示す平面図、図６は図５のＣ−Ｃ断面図、図７は図５のＤ−Ｄ断面図である。
図５〜７に示す様に、３枚用いる場合は、その内２枚を上下逆さにし、この２枚の中央の切込部３を残る１枚の両脇の切込部3a、3bにそれぞれ合わせて嵌合させれば良く、逆さの２枚については両脇の切込部3a、3bを使用せず、また上向きの１枚では中央の切込部３を使用していない。
【０００９】
図８は図１の仕切板を４枚使用する場合の使用状態を示す平面図、図９は図８のＥ−Ｅ断面図、図１０は図８のＦ−Ｆ断面図である。
図８〜１０に示す様に、４枚用いる場合は、その内２枚を上下逆さにし、この２枚の両脇の切込部3a、3bを他の２枚の両脇の切込部3a、3bにそれぞれ合わせて嵌合させれば良く、４枚全て中央の切込部３を使用していない。
【００１０】
以上、本実施例では、切込部３、3a…が方形板２の中央、及びその両脇に等間隔にて設けられているが、切込部３、3a…の数及び間隔はこれに限定せず、３箇所以上に設けられていれば良く、また間隔も適宜であり、不等間隔でも良く、組付けも図２〜１０の形態に限定せず、例えば図１１に示す様に、上記構成に加え、両脇の切込部3a、3bより更に端寄りに切込部3c、3dをそれぞれ設けた仕切板１では、２枚の仕切板１を十文字に組付け、更に十文字の片手側だけ、最端の切込部3cに他の仕切板１の中央の切込部３を合わせて嵌合し、３枚の仕切板１により、４つの小区画と、２つの大区画に弁当箱Ｍの内部を仕切る様にしても良い。
【図面の簡単な説明】
【００１１】
【図１】本考案に係る仕切板を示す正投象図であり、図中（ａ）は平面図、（ｂ）は正面図、（ｃ）は底面図、（ｄ）は右側面図である。
【図２】図１の仕切板を２枚使用する場合の使用状態を示す平面図である。
【図３】図１のＡ−Ａ断面図である。
【図４】図１のＢ−Ｂ断面図である。
【図５】図１の仕切板を３枚使用する場合の使用状態を示す平面図である。
【図６】図５のＣ−Ｃ断面図である。
【図７】図５のＤ−Ｄ断面図である。
【図８】図１の仕切板を４枚使用する場合の使用状態を示す平面図である。
【図９】図８のＥ−Ｅ断面図である。
【図１０】図８のＦ−Ｆ断面図である。
【図１１】本考案に係る仕切板の他例による使用状態を示す平面図である。
【図１２】従来の仕切板を示す正投象図であり、図中（ａ）は平面図、（ｂ）は正面図、（ｃ）は底面図、（ｄ）は右側面図である。
【図１３】図１２の仕切板を２枚使用する場合の使用状態を示す平面図である。
【図１４】図１３のＧ−Ｇ断面図である。
【図１５】従来の仕切板の他例を示す正投象図であり、図中（ａ）は平面図、（ｂ）は正面図、（ｃ）は底面図、（ｄ）は右側面図である。
【図１６】図１２の仕切板を２枚と図１５の仕切板を１枚とを組合わせて使用する場合の使用状態を示す平面図である。
【図１７】図１６のＨ−Ｈ断面図である。
【図１８】図１５の仕切板を４枚使用する場合の使用状態を示す平面図である。
【図１９】図１８のＩ−Ｉ断面図である。
【符号の説明】
【００１２】
１        仕切板
２        方形板
３、3a…  切込部
Ｍ        弁当箱
【図１】
0003126605.tif 000003
【図２】
0003126605.tif 000004
【図３】
0003126605.tif 000005
【図４】
0003126605.tif 000006
【図５】
0003126605.tif 000007
【図６】
0003126605.tif 000008
【図７】
0003126605.tif 000009
【図８】
0003126605.tif 000010
【図９】
0003126605.tif 000011
【図１０】
0003126605.tif 000012
【図１１】
0003126605.tif 000013
【図１２】
0003126605.tif 000014
【図１３】
0003126605.tif 000015
【図１４】
0003126605.tif 000016
【図１５】
0003126605.tif 000017
【図１６】
0003126605.tif 000018
【図１７】
0003126605.tif 000019
【図１８】
0003126605.tif 000020
【図１９】
0003126605.tif 000021